(57)【要約】 【課題】報知内容を良好に報知できる音響再生装置を提供する。【解決手段】音響再生装置１００は、処理部３６０の報知信号取得手段３６２にて、音声出力制御手段３６１から例えば第１の操作信号Ｓu1に基づいた処理を実施できない旨の否定報知信号を取得する。再生状況認識手段３６３は、音声出力制御手段３６１から再生時間情報を適宜取得して、報知信号取得手段３６２が否定報知信号を取得したときの楽曲の再生時間を認識する。楽音再生制御手段３６６は、音声出力制御手段３６１において第１の操作信号Ｓu1に基づいた処理を実施できない旨である、入力操作が不適切である旨を、入力操作を認識した時点での楽曲のコードに同調しない警告音により報知する。  【選択図】  図１
2005250880.tif 000002
【特許請求の範囲】
【請求項１】
報知手段により各種情報を報知させる報知状態を制御する報知制御装置であって、
処理を実施する処理実施手段から出力され、前記処理実施手段における前記処理の実施状況の内容に対応した報知信号を取得する報知信号取得手段と、
前記報知手段にて報知する環境の状況を認識する環境状況認識手段と、
前記報知信号の取得を認識すると、前記報知状態を、前記処理の実施状況の内容と前記環境の状況とに対応して制御する報知制御手段と、
を具備したことを特徴とした報知制御装置。
【請求項２】
請求項１に記載の報知制御装置であって、
前記報知信号取得手段は、前記処理の実施を否定する旨の報知信号を取得し、
前記報知制御手段は、前記処理の実施を否定する旨の前記報知状態を、前記環境状況認識手段にて認識した前記環境の状況と同調しない形態に制御する
ことを特徴とした報知制御装置。
【請求項３】
請求項１または請求項２に記載の報知制御装置であって、
前記報知信号取得手段は、前記処理の実施を肯定する旨の報知信号を取得し、
前記報知制御手段は、前記処理の実施を肯定する旨の前記報知状態を、前記環境状況認識手段にて認識した前記環境の状況と同調する形態に制御する
ことを特徴とした報知制御装置。
【請求項４】
請求項１ないし請求項３のいずれかに記載の報知制御装置であって、
前記報知手段は、音にて各種情報を報知し、
前記環境状況認識手段は、前記報知手段にて報知する環境下における音に関する環境音情報を取得して前記環境の状況を認識し、
前記報知制御手段は、前記報知手段にて報知する音の出力状態を前記環境音情報に対応して制御する
ことを特徴とした報知制御装置。
【請求項５】
請求項４に記載の報知制御装置であって、
前記報知制御手段は、前記環境音情報の音の特性に対して前記報知手段にて報知させる音の特性を制御する
ことを特徴とした報知制御装置。
【請求項６】
請求項５に記載の報知制御装置であって、
前記報知制御手段は、前記環境音情報における音の特性に対して前記報知手段にて報知させる音の特性を協和または不協和となる状態に制御する
ことを特徴とした報知制御装置。
【請求項７】
請求項６に記載の報知制御装置であって、
前記報知制御手段は、前記環境音情報における音の高さ、強さ、および、音色のうちの少なくともいずれか１つに基づいて、前記報知手段にて報知させる音の高さ、強さ、および、音色のうちの対応する少なくともいずれか１つを制御する
ことを特徴とした報知制御装置。
【請求項８】
請求項５ないし請求項７のいずれかに記載の報知制御装置であって、
前記報知制御手段は、前記環境音情報における音のリズムに対して前記報知手段にて報知させる音のリズムを制御する
ことを特徴とした報知制御装置。
【請求項９】
請求項１ないし請求項３のいずれかに記載の報知制御装置であって、
前記報知手段は、光にて各種情報を報知し、
前記環境状況認識手段は、前記報知手段にて報知する環境下における光に関する環境光情報を取得して前記環境の状況を認識し、
前記報知制御手段は、前記報知手段にて報知する光の出力状態を前記環境光情報に対応して制御する
ことを特徴とした報知制御装置。
【請求項１０】
請求項９に記載の報知制御装置であって、
前記報知制御手段は、前記環境光情報の光の特性に対して前記報知手段にて報知させる光の特性を制御する
ことを特徴とした報知制御装置。
【請求項１１】
請求項１０に記載の報知制御装置であって、
前記報知制御手段は、前記環境光情報における光の特性に対して前記報知手段にて報知させる光の特性を同調または非同調となる状態に制御する
ことを特徴とした報知制御装置。
【請求項１２】
請求項１１に記載の報知制御装置であって、
前記報知制御手段は、前記環境光情報における光の明度、色相、および、彩度のうちの少なくともいずれか１つに基づいて、前記報知手段にて報知させる光の明度、色相、および、彩度のうちの対応する少なくともいずれか１つを制御する
ことを特徴とした報知制御装置。
【請求項１３】
報知手段により各種情報を報知させる報知状態を制御する報知制御方法であって、
処理を実施する処理実施手段から出力され、前記処理実施手段における前記処理の実施状況の内容に対応した報知信号を取得し、
前記報知手段にて報知する環境の状況を認識し、
前記報知信号の取得を認識すると、前記報知状態を、前記処理の実施状況の内容と前記環境の状況とに対応して制御する
ことを特徴とする報知制御方法。
【請求項１４】
演算手段を、請求項１ないし請求項１２のいずれかに記載の報知制御装置として機能させる
ことを特徴とした報知制御プログラム。
【請求項１５】
請求項１３に記載の報知制御方法を演算手段に実行させる
ことを特徴とした報知制御プログラム。
【請求項１６】
請求項１４または請求項１５に記載の報知制御プログラムが演算手段にて読取可能に記憶された
ことを特徴とした報知制御プログラムを記録した記録媒体。
【発明の詳細な説明】
【技術分野】
【０００１】
本発明は、各種情報を報知させる報知状況を制御する報知制御装置、その方法、そのプログラム、および、そのプログラムを記録した記録媒体に関する。
【背景技術】
【０００２】
従来、スピーカを発音させて事象を報知する際、発音する音の特性を変更して事象の状況を報知する構成が知られている。例えば目覚まし時計など、起床時間など所定の時刻が近づくに従って、スピーカから発音されるアラーム音の音量が大きくなったり、間欠音から連続音に変更したりするなど、スピーカから発音されるアラーム音の特性を制御する各種構成が知られている（例えば、特許文献１および特許文献２参照）。
【０００３】
特許文献１に記載のものは、アラーム音データを出力する音声合成ＩＣに外付回路を付加するとともに、音声合成ＩＣにより外付回路の入力から出力までの全抵抗値を制御することによってスピーカに流す電流を増幅するトランジスタのベース電流やコレクタ電流を選択的に変更可能としている。そして、外付回路によりトランジスタのベース電流やコレクタ電流を選択的に変化させ、アラーム音の音量を変更する構成が採られている。
【０００４】
また、特許文献２に記載のものは、複数種類の駆動電圧波形を出力可能な駆動電圧波形発生手段から、モータに供給する駆動電圧波形を、切替手段により選択的に切り替えている。そして、あらかじめ設定された時刻にモータを所定の駆動電圧波形で駆動して打鈴するアラーム音発生手段によるアラーム音の鳴り方である出力形態を制御する構成が採られている。
【０００５】
【特許文献１】特開平９−２１１１５８号公報（第２頁左欄−第５頁右欄）
【特許文献２】特開平１０−３３２８５４号公報（第２頁右欄−第５頁右欄）
【発明の開示】
【発明が解決しようとする課題】
【０００６】
しかしながら、上述した特許文献１および特許文献２に記載のような従来のアラーム音の音量を変化させたり鳴り方を変化させたりする構成では、例えば音響再生装置や映像出力装置からの音の出力と、目覚まし時計の時刻報知とが同時に実施される場合、目覚まし時計の時刻報知を認識しにくいことがある。また、目覚まし時計の時刻報知により、楽曲の聴取空間や映像の視聴空間が壊されてしまうことがある。このことから、報知内容を良好に報知できる構成が望まれている。
【０００７】
本発明は、このような実情に鑑みて、報知内容を良好に報知させる報知制御装置、その方法、そのプログラム、および、そのプログラムを記録した記録媒体を提供することを１つの目的とする。
【課題を解決するための手段】
【０００８】
請求項１に記載の発明は、報知手段により各種情報を報知させる報知状態を制御する報知制御装置であって、処理を実施する処理実施手段から出力され、前記処理実施手段における前記処理の実施状況の内容に対応した報知信号を取得する報知信号取得手段と、前記報知手段にて報知する環境の状況を認識する環境状況認識手段と、前記報知信号の取得を認識すると、前記報知状態を、前記処理の実施状況の内容と前記環境の状況とに対応して制御する報知制御手段と、を具備したことを特徴とした報知制御装置である。
【０００９】
請求項１３に記載の発明は、報知手段により各種情報を報知させる報知状態を制御する報知制御方法であって、処理を実施する処理実施手段から出力され、前記処理実施手段における前記処理の実施状況の内容に対応した報知信号を取得し、前記報知手段にて報知する環境の状況を認識し、前記報知信号の取得を認識すると、前記報知状態を、前記処理の実施状況の内容と前記環境の状況とに対応して制御することを特徴とする報知制御方法である。
【００１０】
請求項１４に記載の発明は、演算手段を、請求項１ないし請求項１２のいずれかに記載の報知制御装置として機能させることを特徴とした報知制御プログラムである。
【００１１】
請求項１５に記載の発明は、請求項１３に記載の報知制御方法を演算手段に実行させることを特徴とした報知制御プログラムである。
【００１２】
請求項１６に記載の発明は、請求項１４または請求項１５に記載の報知制御プログラムが演算手段にて読取可能に記憶されたことを特徴とした報知制御プログラムを記録した記録媒体である。
【発明を実施するための最良の形態】
【００１３】
以下に、本発明の一実施の形態を図面に基づいて説明する。本実施の形態では、本発明の報知制御装置を備えた音響再生装置を例示して説明するが、これに限らず、各種情報を報知させる報知状況を制御するいずれの構成でも適用できる。図１は、音響再生装置の概略構成を示すブロック図である。図２は、グリル部の概略構成を示す模式図である。図３は、再生用音楽情報におけるデータのテーブル構造を模式的に示す概念図である。図４は、登録楽音情報におけるデータのテーブル構造を模式的に示す概念図である。図５は、楽曲の再生時間に対応する操作音および警告音の一例を示すタイミングチャートであり、（ａ）は楽曲の波形、（ｂ）は楽曲のコード、（ｃ）は第１の操作ボタンの操作音、（ｄ）は第２の操作ボタンの操作音、（ｅ）は第３の操作ボタンの操作音、（ｆ）は第４の操作ボタンの操作音、（ｇ）は各操作ボタンの警告音を表す。
【００１４】
〔音響再生装置の構成〕
図１において、１００は車載用の音響再生装置（以下、カーオーディオと称す）である。このカーオーディオ１００は、移動体である例えば車両に搭載され、ＣＤ（Compact Disc）やＭＤ（Mini Disc）などに記録された楽曲などを再生したり、放送波を受信して楽曲やラジオ番組などを出力する装置である。なお、移動体としては、車両に限らず、飛行機や船舶などいずれの移動体が対象となる。そして、カーオーディオ１００は、グリル部２００と、本体部３００と、音声出力部４００と、などを備えている。
【００１５】
グリル部２００は、図２に示すように、筐体２１０を備えている。この筐体２１０は、例えば合成樹脂や金属などにより図示しない内部空間を有する略薄箱状に形成され、正面略中央から左側の部分にかけて略矩形状の表示窓２１１が開口形成されている。そして、グリル部２００は、入力部２２０と、表示部２３０と、図示しないモード切替部と、などを備えている。
【００１６】
入力部２２０は、本体部３００に各種情報が送受信可能に接続されている。この入力部２２０は、本体部３００の動作内容などの設定の際に入力操作されるものである。この入力操作により設定される動作内容などの設定としては、楽曲の再生や停止の設定、選曲の設定、音量の調整、受信する放送波の周波数調整などが例示できる。この入力部２２０は、第１の操作ボタン２２１と、第２の操作ボタン２２２と、第３の操作ボタン２２３と、第４の操作ボタン２２４と、などを備えている。そして、入力部２２０は、各操作ボタン２２１，２２２，２２３，２２４の入力操作に基づいて、各操作ボタン２２１，２２２，２２３，２２４に対応する処理を実施させるための情報が記載された第１の操作信号Ｓu1，第２の操作信号Ｓu2，第３の操作信号Ｓu3，第４の操作信号Ｓu4を生成する。この後、入力部２２０は、各操作信号Ｓu1，Ｓu2，Ｓu3，Ｓu4を本体部３００へ適宜出力する。
【００１７】
表示部２３０は、本体部３００に各種情報が送受信可能に接続されている。この表示部２３０は、本体部３００にて適宜制御される。表示部２３０は、本体部３００から出力される画像データの画像信号Ｓdpを画面表示する表示面２３１を有している。この表示面２３１は、筐体２１０の表示窓２１１に臨んで筐体２１０内に配設されている。画面表示する画像データとしては、例えば再生されている楽曲のトラックナンバや音量などのカーオーディオ１００の動作状態などを示す各種情報などである。この表示部２３０としては、例えば液晶パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。
【００１８】
モード切替部は、本体部３００に各種情報が送受信可能に接続されている。このモード切替部は、カーオーディオ１００を後述する楽曲データ記憶部３３０に記録された楽曲を再生するモード（以下、再生モードと称す）や、放送波を受信して楽曲やラジオ番組などを出力するモード（以下、ラジオモードと称す）などに切り換える際に操作される。このモード切替部は、図示しない切換操作部などを備えている。そして、モード切替部は、切換操作部が入力操作されたことを認識すると、現在のモードを切り換える旨の情報が記載されたモード切換信号を生成して本体部３００に出力する。
【００１９】
本体部３００は、図１に示すように、報知手段としての楽音出力部３１０と、チューナ部３２０と、楽曲データ記憶部３３０と、楽音情報登録部３４０と、メモリ３５０と、処理部３６０と、などを備えている。
【００２０】
楽音出力部３１０は、例えば図示しないスピーカを有している。この楽音出力部３１０は、処理部３６０にて制御され、処理部３６０からの音声データなどの楽音信号Ｓgaをスピーカから音声により出力する。この音声により出力する情報は、各操作ボタン２２１，２２２，２２３，２２４の入力操作に基づいて本体部３００を動作させることが可能であることを示す操作音や、入力操作に基づいて本体部３００を動作させることが不可能であることを示す警告音である。なお、楽音出力部３１０は、本体部３００に配設された構成に限らず、音声出力部４００を利用する構成としてもよい。
【００２１】
チューナ部３２０には、放送波を受信する図示しないアンテナが接続されている。また、チューナ部３２０は、処理部３６０に接続されている。そして、チューナ部３２０は、処理部３６０にて適宜制御され、アンテナにて受信され、このアンテナから入力される信号を取得する。そして、この取得した信号を受信信号Ｓchに適宜変換して処理部３６０へ出力する。この受信信号Ｓchに記載されたデータとしては、楽曲を出力するための楽曲出力用データ、楽曲出力用データにて出力する楽曲を特定する例えば楽曲名などの楽曲特定データ、ラジオ番組の音声を出力するための番組出力用データなどが例示できる。
【００２２】
楽曲データ記憶部３３０は、図３に示すような再生用音楽情報５０を適宜読み出し可能に記憶する。この楽曲データ記憶部３３０としては、ＨＤ（Hard Disk）などの磁気ディスク、ＣＤやＭＤあるいはＤＶＤ（Digital Versatile Disc）などの光ディスク、光磁気ディスク、メモリカードなどの各種記録媒体から各種情報を読み出し可能に記憶するドライブやドライバなどを備えた構成などが例示できる。
【００２３】
再生用音楽情報５０は、再生される楽曲に関する情報である。この再生用音楽情報５０は、複数の楽曲情報６０ｍ（ｍは自然数）が１つのデータ構造として構成されたテーブル構造の情報である。
【００２４】
楽曲情報６０ｍは、１つの楽曲に関する情報である。この楽曲情報６０ｍは、再生用データ６１と、楽曲固有情報６２と、楽理情報６３と、などが１つのデータ構造として構成されたテーブル構造である。なお、楽曲情報６０ｍは、楽理情報６３などが格納されずに再生用データ６１および楽曲固有情報６２のみが格納された構成としてもよい。
【００２５】
再生用データ６１は、楽曲の再生の際に用いられるデータである。この再生用データ６１は、楽曲を再生可能な例えばＭＩＤＩ（Musical Instrument Digital Interface）形式、ＭＰ３（Moving Picture Coding Experts Group Audio Layer-3）形式、ＷＡＶＥ形式などの形式により記録されたデータである。なお、この再生用データ６１にて再生される楽曲は、例えばモノラル形式やステレオ形式などいずれの形式であってもよい。
【００２６】
楽曲固有情報６２は、再生用データ６１により再生される楽曲に固有な情報をデータ化したものである。この楽曲固有情報６２に記載される情報としては、楽曲のトラックナンバ、楽曲名、演奏者名、演奏時間などの楽曲に固有な各種情報である。
【００２７】
楽理情報６３は、例えば楽曲のＢＰＭや拍子などのリズム、楽曲のキーコード、再生時間に対応したコードなどを示す情報をデータ化したものである。ここで、コードは、１つの楽器により奏でられた和音や、複数の楽器によりそれぞれ奏でられた単音により構成される和音などである。
【００２８】
楽音情報登録部３４０は、図４に示すような登録楽音情報７０を適宜読み出し可能に記憶する。この楽音情報登録部３４０としては、楽曲データ記憶部３３０と同様の構成などが例示できる。
【００２９】
登録楽音情報７０は、各操作ボタン２２１，２２２，２２３，２２４の入力操作に対応して楽音出力部３１０から出力する音に関する情報である。この登録楽音情報７０は、複数の楽音情報８０ｎ（ｎは自然数）が１つのデータ構造として構成されたテーブル構造の情報である。
【００３０】
楽音情報８０ｎは、１つの楽曲に関連付けられた、各操作ボタン２２１，２２２，２２３，２２４の入力操作に対応して楽音出力部３１０から出力する音に関する情報である。この楽音情報８０ｎは、楽曲特定情報８１と、操作音情報８２と、警告音情報８３と、などが１つのデータ構造として構成されたテーブル構造である。
【００３１】
楽曲特定情報８１は、この楽音情報８０ｎに関連付けられた楽曲を特定するための情報をデータ化したものである。この楽曲特定情報８１は、楽曲固有情報６２、および、チューナ部３２０からの受信信号Ｓchに記載された楽曲特定データのうちのいずれか一方と同一の情報である。
【００３２】
操作音情報８２は、各操作ボタン２２１，２２２，２２３，２２４の入力操作に基づいて本体部３００を動作させることが可能な場合、例えば再生されている楽曲の再生を停止し次の楽曲の再生を開始させる（以下、トラックアップと称す）ことが可能な場合に、楽音出力部３１０から出力する操作音に関する情報である。操作音情報８２は、例えば楽曲の再生時間に対応した操作音（例えば、図５（ｃ），（ｄ），（ｅ），（ｆ）参照）を出力可能なＭＩＤＩ形式、ＭＰ３形式、ＷＡＶＥ形式などの形式により記録されたデータである。この操作音情報８２に基づいて出力される操作音は、各操作ボタン２２１，２２２，２２３，２２４に対応して互いに異なるものとされている。なお、ここでは、操作音を各操作ボタン２２１，２２２，２２３，２２４に対応して互いに異なるものとした構成について例示するが、これに限らず例えば各操作ボタン２２１，２２２，２２３，２２４に共通なものとしてもよい。
【００３３】
警告音情報８３は、各操作ボタン２２１，２２２，２２３，２２４の入力操作に基づいて本体部３００を動作させることが不可能な場合、例えばトラックアップが不可能な場合に、楽音出力部３１０から出力する警告音に関する情報である。警告音情報８３は、例えば楽曲の再生時間に対応した警告音（例えば、図５（ｇ）参照）を出力可能なＭＩＤＩ形式、ＭＰ３形式、ＷＡＶＥ形式などの形式により記録されたデータである。この警告音情報８３に基づいて出力される警告音は、各操作ボタン２２１，２２２，２２３，２２４に共通なものとされている。なお、ここでは、警告音を各操作ボタン２２１，２２２，２２３，２２４に共通なものとした構成について例示するが、これに限らず例えば各操作ボタン２２１，２２２，２２３，２２４に対応して互いに異なるものとしてもよい。
【００３４】
メモリ３５０は、カーオーディオ１００全体を動作制御するＯＳ（Operating System）上に展開される各種プログラムなどを記憶している。このメモリ３５０としては、例えば停電などにより突然電源が落ちた際にも記憶が保持される構成のメモリ、例えばＣＭＯＳ（Complementary Metal-Oxide Semiconductor）メモリなどを用いることが望ましい。なお、メモリ３５０としては、ＨＤ、ＤＶＤ、光ディスク、メモリカードなどの記録媒体に読み出し可能に記憶するドライブやドライバなどを備えた構成としてもよい。
【００３５】
処理部３６０は、図示しない各入出力ポート、例えば楽音出力部３１０が接続される楽音出力ポート、チューナ部３２０が接続されるチューナポート、楽曲データ記憶部３３０が接続される楽曲記憶ポート、楽音情報登録部３４０が接続される楽音登録ポート、メモリ３５０が接続されるメモリポート、音声出力部４００が接続される音声ポート、入力部２２０が接続される入力ポート、表示部２３０が接続される表示ポート、モード切替部が接続されるモードポートなどを有している。そして、処理部３６０は、各種プログラムとして、図１に示すように、処理実施手段としての音声出力制御手段３６１と、報知信号取得手段３６２と、環境状況認識手段としての再生状況認識手段３６３と、楽理解析手段３６４と、楽音情報生成手段３６５と、報知制御手段としての楽音再生制御手段３６６と、などを備えている。なお、音声出力制御手段３６１、報知信号取得手段３６２、および、楽音再生制御手段３６６にて、本発明の報知制御装置が構成されている。
【００３６】
音声出力制御手段３６１は、入力部２２０の入力操作に基づいた処理を適宜実施する。具体的には、音声出力制御手段３６１は、モード切替部の入力操作に基づいて、モードを適宜切り換える。この後、入力部２２０の入力操作に基づいた各種処理を適宜実施する。具体的には、音声出力制御手段３６１は、モード切替信号を取得すると、現在のモードを認識する。そして、現在のモードが例えばラジオモードであることを認識すると、再生モードに切り換える。この後、音声出力制御手段３６１は、楽曲情報６０ｍに基づいた楽曲の再生を開始する旨の入力操作を認識すると、楽曲データ記憶部３３０に記憶された楽曲情報６０ｍを適宜取得する。次に、この楽曲情報６０ｍの再生用データ６１を、楽理情報６３のリズムに基づいた速度や予め設定された速度で音声信号Ｓadに変換する。そして、この音声信号Ｓadを音声出力部４００へ出力する。さらに、音声出力制御手段３６１は、楽曲情報６０ｍの楽曲固有情報６２に記載された楽曲のトラックナンバ、楽曲名、演奏者名、演奏時間などの、再生されている楽曲に関する情報を表示させるための画像信号Ｓdpを生成する。そして、この画像信号Ｓdpを表示部２３０へ出力する。
【００３７】
また、音声出力制御手段３６１は、モード切替信号を取得した際のモードが例えば再生モードであることを認識すると、ラジオモードに切り換える。そして、音声出力制御手段３６１は、チューナ部３２０にアンテナから入力される信号を取得させる。次に、チューナ部３２０に、取得させた信号を受信信号Ｓchに変換させて出力させる。この後、音声出力制御手段３６１は、受信信号Ｓchを適宜取得して、この受信信号Ｓchに記載された例えば楽曲出力用データおよび楽曲特定データを認識する。そして、音声出力制御手段３６１は、この楽曲出力用データを音声信号Ｓadに変換する。この後、この音声信号Ｓadを音声出力部４００へ出力する。さらに、音声出力制御手段３６１は、楽曲特定データに記載された楽曲名などの、出力されている楽曲に関する情報を表示させるための画像信号Ｓdpを生成する。そして、この画像信号Ｓdpを表示部２３０へ出力する。また、音声出力制御手段３６１は、受信信号Ｓchに記載された番組出力用データを適宜認識する。そして、この番組出力用データを音声信号Ｓadに変換する。この後、この音声信号Ｓadを音声出力部４００へ出力する。
【００３８】
さらに、音声出力制御手段３６１は、再生用データ６１や楽曲出力用データに基づいて楽曲を再生している状態で、入力部２２０の入力操作を認識すると、この入力操作に基づいた処理、例えば楽曲の再生や停止、トラックアップやトラックダウン、音量の調整、受信する放送波の周波数調整など実施できるか否かを判断する。そして、音声出力制御手段３６１は、処理を実施できないと判断した場合、すなわち、処理の実施を否定する場合、その旨が記載された報知信号としての否定報知信号を生成する。この後、この否定報知信号を報知信号取得手段３６２へ出力する。一方で、音声出力制御手段３６１は、処理を実施できると判断した場合、すなわち、処理の実施を肯定する場合、その旨の情報が記載された報知信号としての肯定報知信号を生成する。この後、この肯定報知信号を報知信号取得手段３６２へ出力する。さらに、音声出力制御手段３６１は、入力操作に基づいた処理を実施する。
【００３９】
そして、音声出力制御手段３６１は、再生状況認識手段３６３から楽曲の再生時間に関する環境音情報としての再生時間情報の出力を要求する旨の再生時間要求情報を適宜取得する。この後、再生している楽曲の再生時間を認識して、この再生時間に関する再生時間情報を生成する。そして、音声出力制御手段３６１は、この再生時間情報を再生状況認識手段３６３へ出力する。
【００４０】
報知信号取得手段３６２は、音声出力制御手段３６１から否定報知信号または肯定報知信号を適宜取得する。そして、報知信号取得手段３６２は、否定報知信号を取得したことを認識すると、その旨が記載された否定取得信号を生成する。この後、この否定取得信号を楽音再生制御手段３６６へ出力する。一方で、報知信号取得手段３６２は、肯定報知信号を取得したことを認識すると、その旨が記載された肯定取得信号を生成する。この後、この肯定取得信号を楽音再生制御手段３６６へ出力する。
【００４１】
再生状況認識手段３６３は、報知信号取得手段３６２が音声出力制御手段３６１から否定報知信号または肯定報知信号を取得したことを認識すると、再生時間要求情報を生成する。そして、この再生時間要求情報を音声出力制御手段３６１へ出力する。この後、再生状況認識手段３６３は、音声出力制御手段３６１から再生時間情報を取得する。そして、この再生時間情報に基づいて、音声出力制御手段３６１が否定報知信号または肯定報知信号を生成した時点における楽曲の再生時間を認識する。
【００４２】
楽理解析手段３６４は、楽理情報６３が組み込まれていない楽曲情報６０ｍの再生用データ６１やチューナ部３２０から取得した楽曲出力用データに基づいて、楽曲のリズム、コードなどが記載された解析楽理情報を生成する。具体的には、楽理解析手段３６４は、再生用データ６１や楽曲出力用データに基づいて、例えば図５（ａ）に示すような楽曲の波形を認識する。そして、この楽曲の波形に基づいて楽曲のＢＰＭが１２０であることを認識する。この楽曲のＢＰＭを認識する方法としては、例えば、特開２００３−２６３１６２に開示された方法、すなわち、楽曲の波形から得られる音量エンベロープを微分処理し、この微分処理した値が閾値以上となる位置の間隔からＢＰＭを認識する方法が例示できるがこれに限られない。そして、楽理解析手段３６４は、再生用データ６１に基づいて、例えば図５（ｂ）に示すような楽曲の再生時間に対応したコードやキーコードを認識する。すなわち、例えば再生時間が１minから１min１０secまでのコードが「Ｆ」、１min１０secから１min３０secまでのコードが「Ｇ７」、１min３０secから任意の時間までのコードが「Ｃ」であることを認識する。そして、これら認識した再生時間に対応したコードからキーコードが「Ｃ」であることを認識する。この楽曲のコードを認識する方法としては、例えば、特開平１０−１１０６６に開示された方法、すなわち、１２音階の各周波数に対応した基準波形とデジタル化された楽曲の波形とに基づいて、演算を適宜実施することによりコードを認識する方法が例示できるがこれに限られない。この後、楽理解析手段３６４は、これら認識したリズム、キーコード、再生時間に対応したコードなどが記載された解析楽理情報を生成する。
【００４３】
楽音情報生成手段３６５は、再生用データ６１により再生される楽曲や、楽曲出力用データに基づいて出力される楽曲に関する楽音情報８０ｎを生成する。具体的には、楽音情報生成手段３６５は、再生用データ６１に基づいて例えば図５（ａ）に示すような波形の楽曲を再生している状態において、この再生用データ６１を有する楽曲情報６０ｍに楽理情報６３が組み込まれているか否かを判断する。そして、楽曲情報６０ｍに楽理情報６３が組み込まれていると判断した場合、この楽理情報６３を取得する。次に、この楽理情報６３に記載された、楽曲のリズムや例えば図５（ｂ）に示すような楽曲の再生時間に対応したコードを認識する。この後、この認識した各コードの構成音のうちのいずれか１つを、例えば図５（ｃ）に示すように、第１の操作ボタン２２１に対応した操作音として決定する。すなわち、再生時間が１minから１min１０secまでの楽曲のコードが「Ｆ」なので、このコード「Ｆ」の構成音である例えば「Ｆ」を第１の操作ボタン２２１に対応した操作音として決定する。また、再生時間が１min１０secから１min３０secまでの楽曲のコードが「Ｇ７」なので、このコード「Ｇ７」の構成音である例えば「Ｇ」を操作音として決定する。さらに、１min３０secから任意の時間までの楽曲のコードが「Ｃ」なので、このコード「Ｃ」の構成音である例えば「Ｃ」を操作音として決定する。そして、楽音情報生成手段３６５は、楽曲の再生時間に対応した各コードの構成音のうちのいずれか１つを、例えば図５（ｄ），（ｅ），（ｆ）に示すように、各操作ボタン２２２，２２３，２２４に対応した操作音として決定する。この後、楽音情報生成手段３６５は、これら決定した各操作ボタン２２１，２２２，２２３，２２４に対応した操作音を再生するための操作音データを生成する。そして、この操作音データが記載された操作音情報８２を生成する。
【００４４】
また、楽音情報生成手段３６５は、楽曲の各コードの基音を認識する。そして、この基音の音階を半音上げた音を、例えば図５（ｇ）に示すように、各操作ボタン２２１，２２２，２２３，２２４に対応した警告音として決定する。すなわち、再生時間が１minから１min１０secまでの楽曲のコードが「Ｆ」なので、このコード「Ｆ」の基音「Ｆ」の音階を半音上げた「Ｆ＃」を、各操作ボタン２２１，２２２，２２３，２２４に対応した警告音として決定する。また、再生時間が１min１０secから１min３０secまでの楽曲のコードが「Ｇ７」なので、このコード「Ｇ７」の基音「Ｇ」の音階を半音上げた「Ｇ＃」を警告音として決定する。さらに、１min３０secから任意の時間までの楽曲のコードが「Ｃ」なので、このコード「Ｃ」の基音「Ｃ」の音階を半音上げた「Ｃ＃」を警告音として決定する。この後、楽音情報生成手段３６５は、この決定した各操作ボタン２２１，２２２，２２３，２２４に対応した警告音を再生するための警告音データを生成する。そして、この警告音データが記載された警告音情報８３を生成する。なお、ここでは、各コードの基音の音階を半音上げた音を警告音として決定した構成について例示したが、これに限らず半音下げた音などを警告音と決定してもよい。
【００４５】
次に、楽音情報生成手段３６５は、再生用データ６１が組み込まれた楽曲情報６０ｍの楽曲固有情報６２を取得する。そして、この楽曲固有情報６２を楽曲特定情報８１として組み込むとともに、操作音情報８２および警告音情報８３を組み込んだ楽音情報８０ｎを生成する。この後、楽音情報生成手段３６５は、この楽音情報８０ｎを楽音情報登録部３４０に適宜読み出し可能に記憶させる。
【００４６】
また、楽音情報生成手段３６５は、例えば図５（ａ）に示すような波形の楽曲を再生している状態において、再生用データ６１を有する楽曲情報６０ｍに楽理情報６３が組み込まれていないと判断した場合、楽理解析手段３６４に、この楽曲に関する解析楽理情報を生成させる。次に、この生成させた解析楽理情報を取得する。そして、この解析楽理情報に記載された、楽曲のリズムや例えば図５（ｂ）に示すような楽曲の再生時間に対応したコードを認識する。この後、楽音情報生成手段３６５は、上述したような処理を実施して、例えば図５（ｃ），（ｄ），（ｅ），（ｆ）に示すような操作音を再生するための操作音情報８２を生成する。また、例えば図５（ｇ）に示すような警告音を再生するための警告音情報８３を生成する。さらに、再生用データ６１が組み込まれた楽曲情報６０ｍの楽曲固有情報６２を取得する。そして、この楽曲固有情報６２を楽曲特定情報８１として組み込むとともに、操作音情報８２および警告音情報８３を組み込んだ楽音情報８０ｎを生成する。この後、楽音情報生成手段３６５は、この楽音情報８０ｎを楽音情報登録部３４０に適宜読み出し可能に記憶させる。
【００４７】
さらに、楽音情報生成手段３６５は、チューナ部３２０から取得した楽曲出力用データに基づいて例えば図５（ａ）に示すような波形の楽曲を出力している場合、楽理解析手段３６４に、この楽曲に関する解析楽理情報を生成させる。次に、この生成させた解析楽理情報を取得する。そして、この解析楽理情報に基づいて、上述したような処理を実施して、操作音情報８２および警告音情報８３を生成する。また、楽音情報生成手段３６５は、チューナ部３２０にて取得した楽曲特定データを取得する。そして、この楽曲特定データを楽曲特定情報８１として組み込むとともに、操作音情報８２および警告音情報８３を組み込んだ楽音情報８０ｎを生成する。この後、楽音情報生成手段３６５は、この楽音情報８０ｎを楽音情報登録部３４０に適宜読み出し可能に記憶させる。
【００４８】
楽音再生制御手段３６６は、音声出力制御手段３６１からの肯定報知信号に基づいて操作音を再生する制御をするとともに、否定報知信号に基づいて警告音を再生する制御をする。具体的には、楽音再生制御手段３６６は、例えば図５（ａ）に示すような波形の楽曲を再生している状態で、報知信号取得手段３６２から否定取得信号または肯定取得信号を取得する。そして、この否定取得信号または肯定取得信号に基づいて、報知信号取得手段３６２が肯定報知信号または否定報知信号を取得したことを認識する。また、楽音再生制御手段３６６は、楽曲が再生用データ６１に基づいて再生されている場合、この再生用データ６１を有する楽曲情報６０ｍの楽曲固有情報６２を取得する。次に、この楽曲固有情報６２と同一の情報を有する楽曲特定情報８１を、楽音情報登録部３４０の登録楽音情報７０から検索する。そして、この検索した楽曲特定情報８１が組み込まれた楽音情報８０ｎを取得する。一方で、楽音再生制御手段３６６は、楽曲が楽曲出力用データに基づいて出力されている場合、チューナ部３２０から楽曲特定データを取得する。次に、この楽曲特定データと同一の情報を有する楽曲特定情報８１を、楽音情報登録部３４０の登録楽音情報７０から検索する。そして、この検索した楽曲特定情報８１が組み込まれた楽音情報８０ｎを取得する。
【００４９】
この後、楽音再生制御手段３６６は、肯定取得信号の取得により報知信号取得手段３６２が肯定報知信号を取得していることを認識した場合、楽音情報８０ｎから例えば図５（ｃ），（ｄ），（ｅ），（ｆ）に示すような操作音に関する操作音情報８２を取得する。また、再生状況認識手段３６３にて認識した楽曲の再生時間を認識する。そして、再生時間が例えば１min１０secの場合、図５（ｅ）に示すように、第３の操作ボタン２２３に対応する操作音として「Ｄ」の音、すなわち「レ」の音を再生するための操作音データを楽音信号Ｓgaに適宜変換する。この後、この楽音信号Ｓgaを楽音出力部３１０へ出力する。
【００５０】
一方で、楽音再生制御手段３６６は、否定取得信号の取得により報知信号取得手段３６２が否定報知信号を取得していることを認識した場合、楽音情報８０ｎから例えば図５（ｇ）に示すような警告音に関する警告音情報８３を取得する。また、再生状況認識手段３６３にて認識した楽曲の再生時間を認識する。この後、この再生時間が例えば１min１０secの場合、図５（ｇ）に示すように、第３の操作ボタン２２３に対応する警告音として「Ｇ＃」の音、すなわち「ソ♯」の音を再生するための警告音データを楽音信号Ｓgaに適宜変換する。この後、この楽音信号Ｓgaを楽音出力部３１０へ出力する。
【００５１】
音声出力部４００は、例えば車両のインストルメントパネル部、ドア部、リアダッシュボード部などに配設された図示しないスピーカを有している。この音声出力部４００は、本体部３００に各種情報が送受信可能に接続されている。この音声出力部４００は、本体部３００にて適宜制御される。そして、音声出力部４００は、本体部３００から出力される音声データなどの音声信号Ｓadをスピーカから音声により出力する。音声により出力する音声データとしては、楽曲情報６０ｍの再生用データ６１や、チューナ部３２０から取得した楽曲出力用データや番組出力用データなどである。
【００５２】
〔音響再生装置の動作〕
次に、カーオーディオ１００の動作を図面を参照して説明する。
【００５３】
（楽音情報の生成処理）
まず、カーオーディオ１００の動作として、楽音情報８０ｎの生成処理について図６に基づいて説明する。図６は、楽音情報の生成処理を示すフローチャートである。図７は、楽音登録処理１を示すフローチャートである。図８は、楽音登録処理２を示すフローチャートである。
【００５４】
まず、カーオーディオ１００は、電源がオンされた後、図６に示すように、処理部３６０の音声出力制御手段３６１にて楽曲の再生を適宜開始する（ステップＳ１０１）。具体的には、音声出力制御手段３６１は、例えば再生モードである場合、利用者による入力部２２０の入力操作により、楽曲情報６０ｍに基づいて楽曲を再生する旨の設定入力を認識する。そして、楽曲情報６０ｍを取得して、この楽曲情報６０ｍの再生用データ６１に基づいて、例えば図５（ａ）に示すような波形の楽曲の再生を開始する。また、音声出力制御手段３６１は、例えばラジオモードであることを認識すると、チューナ部３２０に放送波を受信させる。次に、チューナ部３２０から楽曲出力用データを取得する。この後、音声出力制御手段３６１は、この楽曲出力用データに基づいて、例えば図５（ａ）に示すような波形の楽曲の出力を開始する。
【００５５】
そして、処理部３６０は、楽音情報生成手段３６５にて、現在のモードがラジオモードであるか否かを判断する（ステップＳ１０２）。このステップＳ１０２において、楽音情報生成手段３６５は、ラジオモードであると判断した場合、楽音登録処理２を実施する（ステップＳ１０３）。そして、楽音情報８０ｎの生成処理を終了する。一方で、ステップＳ１０２において、楽音情報生成手段３６５は、ラジオモードではなく再生モードであると判断した場合、再生している楽曲の楽曲情報６０ｍに楽理情報６３が組み込まれているか否かを判断する（ステップＳ１０４）。
【００５６】
このステップＳ１０４において、楽音情報生成手段３６５は、楽曲情報６０ｍに楽理情報６３が組み込まれていないと判断した場合、ステップＳ１０３の処理を実施する。一方で、ステップＳ１０４において、楽音情報生成手段３６５は、楽曲情報６０ｍに楽理情報６３が組み込まれていると判断した場合、楽音登録処理１を実施する（ステップＳ１０５）。そして、楽音情報８０ｎの生成処理を終了する。
【００５７】
楽音登録処理１では、図７に示すように、楽音情報生成手段３６５は、再生されている楽曲に関連付けられた楽音情報８０ｎが未登録であるか否かを判断する（ステップＳ２０１）。具体的には、楽音情報生成手段３６５は、楽曲情報６０ｍの楽曲固有情報６２を取得する。次に、この楽曲固有情報６２と同一の情報を有する楽曲特定情報８１を、楽音情報登録部３４０の登録楽音情報７０から検索する。そして、楽曲固有情報６２と同一の情報を有する楽曲特定情報８１を検索できた場合、楽曲に関連付けられた楽音情報８０ｎが登録済みであると判断する。一方で、楽曲固有情報６２と同一の情報を有する楽曲特定情報８１を検索できなかった場合、楽曲に関連付けられた楽音情報８０ｎが未登録であると判断する。
【００５８】
ステップＳ２０１において、楽音情報生成手段３６５は、楽曲に関連付けられた楽音情報８０ｎが登録済みであると判断した場合、楽音登録処理１を終了する。一方で、ステップＳ２０１において、楽音情報生成手段３６５は、楽曲に関連付けられた楽音情報８０ｎが未登録であると判断した場合、楽曲情報６０ｍの楽理情報６３を認識する（ステップＳ２０２）。例えば、楽音情報生成手段３６５は、楽曲情報６０ｍから楽理情報を取得する。そして、この楽理情報６３に基づいて、楽曲のリズムや、例えば図５（ｂ）に示すような再生時間に対応したコードやキーコードなどを認識する。
【００５９】
この後、楽音情報生成手段３６５は、楽音情報８０ｎを生成する（ステップＳ２０３）。例えば、楽音情報生成手段３６５は、ステップＳ２０２において認識したリズムやコードあるいはキーコードに基づいて、例えば図５（ｃ），（ｄ），（ｅ），（ｆ）に示すような操作音に関する操作音情報８２と、例えば図５（ｇ）に示すような警告音に関する警告音情報８３と、を生成する。そして、楽曲情報６０ｍの楽曲固有情報６２を楽曲特定情報８１として組み込むとともに、操作音情報８２および警告音情報８３を組み込んだ楽音情報８０ｎを生成する。この後、楽音情報生成手段３６５は、ステップＳ２０３において生成した楽音情報８０ｎを楽音情報登録部３４０に登録して（ステップＳ２０４）、楽音登録処理１を終了する。
【００６０】
一方で、楽音登録処理２では、図８に示すように、楽音情報生成手段３６５は、楽曲に関連付けられた楽音情報８０ｎが未登録であるか否かを判断する（ステップＳ３０１）。具体的には、楽音情報生成手段３６５は、ステップＳ１０４において楽理情報６３が組み込まれていないと判断している場合、すなわち、ステップＳ１０２において再生モードであると判断している場合、楽音登録処理１のステップＳ２０１と同様の処理を実施する。一方で、楽音情報生成手段３６５は、ステップＳ１０２においてラジオモードであると判断している場合、チューナ部３２０から楽曲に関する楽曲特定データを取得する。次に、この楽曲特定データと同一の情報を有する楽曲特定情報８１を、楽音情報登録部３４０の登録楽音情報７０から検索する。そして、楽曲特定データと同一の情報を有する楽曲特定情報８１を検索できた場合、楽曲に関連付けられた楽音情報８０ｎが登録済みであると判断する。一方で、楽曲特定データと同一の情報を有する楽曲特定情報８１を検索できなかった場合、楽曲に関連付けられた楽音情報８０ｎが未登録であると判断する。
【００６１】
ステップＳ３０１において、楽音情報生成手段３６５は、楽曲に関連付けられた楽音情報８０ｎが登録済みであると判断した場合、楽音登録処理２を終了する。一方で、ステップＳ３０１において、楽音情報生成手段３６５は、楽曲に関連付けられた楽音情報８０ｎが未登録であると判断した場合、楽理解析手段３６４に楽曲の再生用データ６１または楽曲出力用データを取得させる（ステップＳ３０２）。楽理解析手段３６４は、再生用データ６１または楽曲出力用データを取得すると、これら取得した再生用データ６１または楽曲出力用データに基づいて、解析楽理情報を生成する（ステップＳ３０３）。例えば、楽理解析手段３６４は、例えば図５（ｂ）に示すような、楽曲の再生時間に対応したコードやキーコードあるいはリズムなどに関する情報が記載された解析楽理情報を生成する。
【００６２】
そして、楽音情報生成手段３６５は、ステップＳ３０３において楽理解析手段３６４により生成された解析楽理情報を認識する（ステップＳ３０４）。例えば、楽音情報生成手段３６５は、解析楽理情報を取得する。そして、この解析楽理情報に基づいて、再生時間に対応したコードやキーコードあるいはリズムなどを認識する。
【００６３】
この後、楽音情報生成手段３６５は、楽音情報８０ｎを生成する（ステップＳ３０５）。例えば、楽音情報生成手段３６５は、ステップＳ３０４において認識したリズムやコードあるいはキーコードに基づいて、例えば図５（ｃ），（ｄ），（ｅ），（ｆ）に示すような操作音に関する操作音情報８２と、例えば図５（ｇ）に示すような警告音に関する警告音情報８３と、を生成する。そして、ステップＳ１０２において再生モードであると判断している場合、楽曲情報６０ｍの楽曲固有情報６２を楽曲特定情報８１として組み込むとともに、操作音情報８２および警告音情報８３を組み込んだ楽音情報８０ｎを生成する。一方で、ステップＳ１０２においてラジオモードであると判断している場合、楽音特定データを楽曲特定情報８１として組み込むとともに、操作音情報８２および警告音情報８３を組み込んだ楽音情報８０ｎを生成する。
【００６４】
この後、楽音情報生成手段３６５は、ステップＳ３０５において生成した楽音情報８０ｎを楽音情報登録部３４０に登録する（ステップＳ３０６）。そして、楽音情報生成手段３６５は、ステップＳ１０１において再生を開始した楽曲の再生が終了したか否かを判断する（ステップＳ３０７）。このステップＳ３０７において、楽音情報生成手段３６５は、楽曲の再生が終了したと判断した場合、楽音登録処理２を終了する。一方で、ステップＳ３０７において、楽音情報生成手段３６５は、楽曲の再生が終了していないと判断した場合、ステップＳ３０２に戻る。この後、楽音情報生成手段３６５は、例えば図５（ａ）に示すような区間以降の区間に対応する操作音や警告音などの新たな情報を加えた楽音情報８０ｎを適宜生成する。そして、楽音情報登録部３４０に登録された楽音情報８０ｎを、新たな情報を加えた楽音情報８０ｎに適宜更新する。
【００６５】
（操作音または警告音の再生処理）
次に、カーオーディオ１００の動作として、操作音または警告音の再生処理について図９に基づいて説明する。図９は、操作音または警告音の再生処理を示すフローチャートである。
【００６６】
まず、カーオーディオ１００は、処理部３６０は、再生用データ６１や楽曲出力用データに基づいて、例えば図５（ａ）に示すような波形の楽曲の再生を開始した後、音声出力制御手段３６１にて利用者による入力部２２０の入力操作を認識する（ステップＳ４０１）。そして、音声出力制御手段３６１は、この入力操作に基づいた処理を実施できるか否かを判断して、肯定報知信号または否定報知信号を報知信号取得手段３６２へ出力する（ステップＳ４０２）。
【００６７】
報知信号取得手段３６２は、音声出力制御手段３６１からの肯定報知信号または否定報知信号を取得すると、その旨が記載された肯定取得信号または否定取得信号を生成する。そして、この肯定取得信号または否定取得信号を楽音再生制御手段３６６へ出力する。再生状況認識手段３６３は、報知信号取得手段３６２が肯定報知信号または否定報知信号を取得したことを認識すると、再生時間要求情報を生成して音声出力制御手段３６１へ出力する。この後、再生状況認識手段３６３は、音声出力制御手段３６１から再生時間情報を取得して、音声出力制御手段３６１が肯定報知信号または否定報知信号を生成した時点における楽曲の再生時間を認識する。楽音再生制御手段３６６は、報知信号取得手段３６２から肯定取得信号または否定取得信号を取得すると、再生されている楽曲に関する楽音情報８０ｎを取得する（ステップＳ４０３）。そして、楽音再生制御手段３６６は、ステップＳ４０１において音声出力制御手段３６１が認識した入力操作が適切か否かを判断する（ステップＳ４０４）。具体的には、報知信号取得手段３６２から取得した信号が肯定取得信号である場合、入力操作が適切であると判断し、否定取得信号である場合、入力操作が不適切であると判断する。
【００６８】
このステップＳ４０４において、楽音再生制御手段３６６は、入力操作が適切でないと判断した場合、楽音情報８０ｎから例えば図５（ｇ）に示すような警告音に関する警告音情報８３を取得する（ステップＳ４０５）。また、楽音再生制御手段３６６は、再生状況認識手段３６３にて認識した音声出力制御手段３６１が否定報知信号を生成したときの楽曲の再生時間、すなわち、入力部２２０の入力操作を認識したときの楽曲の再生時間を認識する。この後、楽音再生制御手段３６６は、警告音情報８３に基づいて、入力部２２０の入力操作を認識したときの楽曲の再生時間に対応した警告音を再生する（ステップＳ４０６）。例えば、楽音再生制御手段３６６は、第４の操作ボタン２２４の入力操作を認識したときの再生時間が１minの場合、その時点における楽曲のコード「Ｆ」の基音の高さを半音上げた「Ｆ♯」の音、すなわち「ファ♯」の音を楽曲と同調しない形態の警告音として再生する。そして、楽音再生制御手段３６６は、警告音の再生処理を終了する。
【００６９】
一方で、ステップＳ４０４において、楽音再生制御手段３６６は、入力操作が適切であると判断した場合、楽音情報８０ｎから例えば図５（ｃ），（ｄ），（ｅ），（ｆ）に示すような操作音に関する操作音情報８２を取得する（ステップＳ４０７）。また、楽音再生制御手段３６６は、再生状況認識手段３６３にて認識した音声出力制御手段３６１が肯定報知信号を生成したときの楽曲の再生時間、すなわち、入力部２２０の入力操作を認識したときの楽曲の再生時間を認識する。この後、楽音再生制御手段３６６は、操作音情報８２に基づいて、入力部２２０の入力操作を認識したときの楽曲の再生時間、および、入力操作された各操作ボタン２２１，２２２，２２３，２２４に対応した再生音を再生する（ステップＳ４０８）。例えば、楽音再生制御手段３６６は、第２の操作ボタン２２２の入力操作を認識したときの再生時間が１min３０secの場合、その時点における楽曲のコード「Ｃ」の構成音である「Ｅ」の音、すなわち「ミ」の音を楽曲と同調する形態の操作音として再生する。この後、楽音再生制御手段３６６は、音声出力制御手段３６１を制御して、第２の操作ボタン２２２に対応する処理、例えば楽曲の音量を下げる処理を実施させる（ステップＳ４０９）。そして、楽音再生制御手段３６６は、操作音の再生処理を終了する。
【００７０】
上述したように、上記実施の形態では、カーオーディオ１００は、再生用データ６１や楽曲出力用データに基づいて楽曲が再生されている状態において、処理部３６０の音声出力制御手段３６１にて、入力部２２０から出力される例えば第１の操作信号Ｓu1を取得する。次に、音声出力制御手段３６１は、この第１の操作信号Ｓu1に基づいた処理の実施状況に関する否定報知信号、または、肯定報知信号を生成して報知信号取得手段３６２へ出力する。この後、報知信号取得手段３６２は、音声出力制御手段３６１から否定報知信号または肯定報知信号を取得する。そして、再生状況認識手段３６３は、音声出力制御手段３６１から再生時間情報を適宜取得して、報知信号取得手段３６２が否定報知信号または肯定報知信号を取得したときの楽曲の再生時間を認識する。この後、楽音再生制御手段３６６は、楽曲の楽音情報８０ｎを取得する。そして、楽音再生制御手段３６６は、音声出力制御手段３６１における処理の実施状況の内容を、入力操作を認識した時点での楽曲のコードに同調しない警告音またはコードに同調する操作音により報知する。
【００７１】
このため、カーオーディオ１００は、音声出力制御手段３６１における処理の実施状況の内容を、再生時間に伴い適宜変換する楽曲のコードに同調しない警告音またはコードに同調する操作音により報知できる。したがって、カーオーディオ１００は、楽曲の再生時間にかかわらず、処理の実施状況の内容を警告音または操作音により利用者に認識させることができる。よって、カーオーディオ１００に報知内容を良好に報知させることができる。
【００７２】
カーオーディオ１００は、楽音再生制御手段３６６にて、音声出力制御手段３６１で認識した入力操作が不適切である旨を、入力操作を認識した時点での楽曲のコードに同調しない警告音により報知する。このため、カーオーディオ１００は、入力操作が不適切である旨を、再生時間に伴い適宜変化する楽曲のコードに同調しない警告音により報知できる。したがって、カーオーディオ１００は、楽曲の再生時間にかかわらず、利用者に認識させる必要性が比較的高い事象である入力操作が不適切である旨を、警告音で容易に認識させることができる。よって、カーオーディオ１００に報知内容をより良好に報知させることができる。
【００７３】
カーオーディオ１００は、楽音再生制御手段３６６にて、音声出力制御手段３６１で認識した入力操作が適切である旨を、入力操作を認識した時点での楽曲のコードに同調する操作音により報知する。このため、カーオーディオ１００は、入力操作が適切である旨を、再生時間に伴い適宜変化する楽曲のコードに同調する操作音により報知できる。したがって、カーオーディオ１００は、楽曲の再生時間にかかわらず、利用者に認識させる必要性が比較的低い事象である入力操作が適切である旨を、操作音で聴取空間を壊すことなく認識させることができる。よって、カーオーディオ１００に報知内容をより良好に報知させることができる。
【００７４】
カーオーディオ１００は、入力操作が適切である旨を操作音で報知する機能と、不適切である旨を警告音で報知する機能と、を備えている。このため、カーオーディオ１００に報知内容をより良好に報知させることができる。したがって、カーオーディオ１００の利便性を向上できる。
【００７５】
楽音情報生成手段３６５は、コードの構成音のうちのいずれか１つの音の音階を半音上げた音を警告音として決定する。この後、この警告音に関する警告音情報８３を生成する。そして、楽音再生制御手段３６６は、この警告音情報８３に基づいて警告音を再生する。このため、カーオーディオ１００は、楽曲のコードに、より同調しない警告音を再生でき、利用者に入力操作が不適切である旨をより容易に認識させることができる。したがって、カーオーディオ１００に報知内容をより良好に報知させることができる。また、コードの構成音の音階を半音上げるだけでよいので処理を簡単にでき、警告音情報８３の生成処理の高速化を図ることができる。さらに、警告音を単音にしているので、警告音情報８３のデータ量を最小限に抑えることができ、楽音情報登録部３４０の容量を最小限に抑えることができる。
【００７６】
楽音情報生成手段３６５は、コードの基音の音階を半音上げた音を警告音として決定する。このため、カーオーディオ１００は、基音以外の音の音階を半音上げた警告音を再生する構成と比べて、利用者に入力操作が不適切である旨をさらに容易に認識させることができる。したがって、カーオーディオ１００に報知内容をさらに良好に報知させることができる。
【００７７】
警告音を、各操作ボタン２２１，２２２，２２３，２２４に共通なものとしている。このため、警告音情報８３のデータ量を最小限に抑えることができ、楽音情報登録部３４０の容量を最小限に抑えることができる。
【００７８】
楽音情報生成手段３６５は、コードの構成音のうちのいずれか１つの音を操作音として決定する。この後、この操作音に関する操作音情報８２を生成する。そして、楽音再生制御手段３６６は、この操作音情報８２に基づいて操作音を再生する。このため、カーオーディオ１００は、楽曲のコードに、より同調する操作音を再生でき、聴取空間をより壊すことなく、利用者に入力操作が適切である旨を認識させることができる。したがって、カーオーディオ１００に報知内容をより良好に報知させることができる。また、コードの構成音のうちのいずれか１つ音を選択するだけでよいので処理を簡単にでき、操作音情報８２の生成処理の高速化を図ることができる。さらに、操作音を単音にしているので、操作音情報８２のデータ量を最小限に抑えることができ、楽音情報登録部３４０の容量を最小限に抑えることができる。
【００７９】
操作音を、各操作ボタン２２１，２２２，２２３，２２４に対応して互いに異なるものとしている。このため、カーオーディオ１００は、入力操作した各操作ボタン２２１，２２２，２２３，２２４を利用者に容易に認識させることができる。したがって、カーオーディオ１００の利便性を向上できる。
【００８０】
カーオーディオ１００に、楽曲特定情報８１と、操作音情報８２と、警告音情報８３と、などが１つのデータ構造として構成された楽音情報８０ｎを記憶する楽音情報登録部３４０を設けている。楽音再生制御手段３６６は、再生されている楽曲に関する例えば楽曲固有情報６２と同一の情報を有する楽曲特定情報８１を検索することにより、楽音情報８０ｎを特定する。そして、この楽音情報８０ｎの操作音情報８２または警告音情報８３に基づいて、操作音または警告音を再生する。このため、カーオーディオ１００は、再生されている楽曲に関する楽音情報８０ｎを毎回生成することなく、楽音情報登録部３４０に記憶された楽音情報８０ｎを取得するだけの簡単な方法で操作音や警告音を適宜再生できる。したがって、操作音や警告音を再生する処理をより容易にかつ迅速にできる。
【００８１】
カーオーディオ１００は、処理部３６０の楽音情報生成手段３６５にて、楽音情報８０ｎを適宜生成する。そして、この楽音情報８０ｎを楽音情報登録部３４０に記憶させる。このため、再生される全ての楽曲に関する楽音情報８０ｎを生成可能な利便性が高いカーオーディオ１００を提供できる。
【００８２】
楽音情報生成手段３６５は、再生されている楽曲の楽曲情報６０ｍに楽理情報６３が組み込まれている場合、この楽理情報６３に基づいて楽音情報８０ｎを生成する。このため、楽音情報生成手段３６５は、楽曲情報６０ｍに予め組み込まれている楽理情報６３に基づいて楽音情報８０ｎを生成でき、楽音情報８０ｎを生成する処理をより容易にかつ迅速にできる。
【００８３】
楽音情報生成手段３６５は、再生されている楽曲の楽曲情報６０ｍに楽理情報６３が組み込まれていない場合や、チューナ部３２０が取得した楽曲出力用データにより楽曲が出力されている場合、楽理解析手段３６４に、楽曲の再生用データ６１や楽曲出力用データに基づいて解析楽理情報を生成させる。そして、楽音情報生成手段３６５は、この解析楽理情報に基づいて楽音情報８０ｎを生成する。このため、楽音情報生成手段３６５は、楽理情報６３に関連付けられていない楽曲に関する楽音情報８０ｎも生成できる。したがって、カーオーディオ１００は、楽理情報６３に関連付けられていない楽曲に関する操作音や警告音をより容易にかつ迅速にできる。
【００８４】
［実施の形態の変形］
なお、本発明は、上述した実施の形態に限定されるものではなく、本発明の目的を達成できる範囲で以下に示される変形をも含むものである。
【００８５】
すなわち、例えば警告音として、コードの基音の音階を半音上げた音を例示したが、これに限らず基音の音階を全音上げた音、コードの構成音の全ての音の音階を半音あるいは全音上げた音、コードの構成音以外の音などとしてもよい。このような構成にしても、カーオーディオ１００は、楽曲のコードに同調しない警告音を再生でき、利用者に入力操作が不適切である旨を容易に認識させることができる。したがって、カーオーディオ１００に報知内容を良好に報知させることができる。なお、和音ではなく単音により構成されている楽曲に対しても同様の警告音を再生することにより、カーオーディオ１００に報知内容を良好に報知させることができる。
【００８６】
楽理情報６３や解析楽理情報に、音が出力されているタイミングに関する情報を記載する。そして、楽音情報生成手段３６５にて、例えば図１０（ｃ），（ｄ），（ｅ），（ｆ），（ｇ）に示すように、操作音や警告音を決定する構成などとしてもよい。すなわち、音が出力されているタイミングで操作音を再生し、音が出力されていないタイミングで警告音を再生する構成としてもよい。このような構成にすれば、カーオーディオ１００は、音が出力されているタイミングで操作音を再生でき、聴取空間をさらに壊すことなく、利用者に入力操作が適切である旨を認識させることができる。また、音が出力されていないタイミングで警告音を再生でき、利用者に入力操作が不適切である旨をさらに容易に認識させることができる。したがって、カーオーディオ１００に報知内容をさらに良好に報知させることができる。
【００８７】
楽理情報６３や解析楽理情報に、楽曲の拍子などのリズムに関する情報を記載する。そして、楽音情報生成手段３６５にて、例えば図１０（ｈ），（ｉ）に示すように、操作音や警告音を決定する構成などとしてもよい。すなわち、例えば楽曲が４分の４拍子の場合、操作音を４分の４拍子で再生し、警告音を４分の３拍子で再生する構成としてもよい。このような構成にすれば、カーオーディオ１００は、楽曲の拍子と同じ拍子で操作音を再生でき、聴取空間をより壊すことなく、利用者に入力操作が適切である旨を認識させることができる。また、楽曲の拍子とは異なる拍子の警告音を再生でき、利用者に入力操作が不適切である旨をより容易に認識させることができる。したがって、カーオーディオ１００に報知内容をより良好に報知させることができる。
【００８８】
楽理情報６３や解析楽理情報に、楽曲のジャンルや演奏に用いられている楽器に関する情報を記載する。そして、楽音情報生成手段３６５にて、例えば図１１に示すような対応に基づいて、操作音や警告音の音色を決定する構成などとしてもよい。すなわち、例えば楽曲のジャンルがロックの場合、操作音の音色をディストーションギターの音色として、警告音の音色を笛の音色とする構成としてもよい。このような構成にすれば、カーオーディオ１００は、楽曲の演奏に比較的用いられる楽器の音色で操作音を再生でき、聴取空間をより壊すことなく、利用者に入力操作が適切である旨を認識させることができる。また、楽曲の演奏にほとんど用いられない楽器の音色で警告音を再生でき、利用者に入力操作が不適切である旨をより容易に認識させることができる。したがって、カーオーディオ１００に報知内容をより良好に報知させることができる。
【００８９】
楽音再生制御手段３６６にて、楽音情報登録部３４０に記憶された楽音情報８０ｎに基づいて操作音や警告音を再生する構成について例示したが、これに限らず、例えば以下のような構成などとしてもよい。すなわち、例えば楽曲情報６０ｍに基づいて楽曲を再生している場合、楽音情報生成手段３６５にて、楽曲情報６０ｍの楽理情報６３に基づいて楽音情報８０ｎを適宜生成して、例えばメモリ３５０に一時的に記憶させる。そして、この楽音情報８０ｎに基づいて、楽音再生制御手段３６６にて、操作音や警告音を適宜再生する。この後、例えば楽曲の再生が終了したことを認識した場合、メモリ３５０から楽音情報８０ｎを消去する構成などとしてもよい。このような構成にすれば、カーオーディオ１００に楽音情報登録部３４０を設ける必要がない。したがって、カーオーディオ１００の構成を簡略化でき、小型化やコスト削減を適宜図ることができる。
【００９０】
楽音再生制御手段３６６にて、操作音および警告音を再生する構成について例示したが、これに限らずいずれか一方を再生しない構成などとしてもよい。このような構成にすれば、楽音情報８０ｎに操作音情報８２または警告音情報８３を組み込む必要が無くなる。したがって、楽音情報８０ｎのデータ量を最小限に抑えることができ、楽音情報登録部３４０の容量を最小限に抑えることができる。また、楽音情報８０ｎを生成する処理をより迅速にできる。さらに、楽音再生制御手段３６６の構成を簡略化できる。
【００９１】
例えば、以下のような構成などとしてもよい。すなわち、例えば画像出力部に画像を表示させる画像出力制御装置などにおいて、画像を出力している状態で利用者による入力操作を認識する。ここで、画像出力制御装置としては、テレビジョン装置、ＤＶＤなどの記録媒体に記録された映像などを再生する映像再生装置、カーナビゲーション装置、携帯式や設置式の電話機などが例示できるがこれに限られない。そして、例えば出力されている画像や画像出力制御装置が設置されている環境における光に関する環境光情報を取得する。この後、入力操作が不適切である場合、その旨を画像や環境の光と同調しない光の特性の警告画像で報知する。一方で、入力操作が適切である場合、その旨を画像や環境の光と同調する光の特性の操作画像で報知する構成などとしてもよい。
【００９２】
このような構成すれば、画像出力制御装置は、入力操作が不適切である旨を、出力時間や経過時間に伴い適宜変化する画像や環境の光と同調しない警告画像により報知できる。したがって、画像出力制御装置は、出力時間や経過時間にかかわらず、利用者に認識させる必要性が比較的高い事象である入力操作が不適切である旨を、警告画像により容易に認識させることができる。また、画像出力制御装置は、入力操作が適切である旨を、出力時間や経過時間に伴い適宜変化する画像や環境の光と同調する操作画像により報知できる。したがって、画像出力制御装置は、出力時間や経過時間にかかわらず、利用者に認識させる必要性が比較的低い事象である入力操作が適切である旨を、操作画像により視聴空間を壊すことなく認識させることができる。よって、画像出力制御装置に報知内容を良好に報知させることができる。なお、画像出力制御装置を警告画像および操作画像のうちのいずれか一方のみを出力させる構成とすれば、画像出力制御装置の構成を簡略化できる。
【００９３】
上述したような警告画像および操作画像のうちの少なくともいずれか一方を出力する構成の画像出力制御装置において、例えば以下のような構成などとしてもよい。すなわち、警告画像を、出力されている画像や設置されている環境における明度、色相、彩度などに対してコントラストが強い画像とする。また、操作画像を、画像や環境における明度、色相、彩度などに対してコントラストが弱い画像とする構成などとしてもよい。このような構成にすれば、画像出力制御装置は、例えば予め設定された警告画像や操作画像の明度、色相、彩度などを適宜変更するだけの簡単な方法で、報知内容を良好に報知できる。
【００９４】
上述したような警告画像および操作画像のうちの少なくともいずれか一方を出力する構成の画像出力制御装置において、例えば以下のような構成などとしてもよい。すなわち、警告画像を、出力されている画像や設置されている環境における光の強度が所定以下となるタイミングで出力する。また、操作画像を、画像や環境における光の強度が所定以上となるタイミングで出力する構成などとしてもよい。このような構成にすれば、画像出力制御装置は、例えば予め設定された警告画像や操作画像を出力するタイミングを適宜変更するだけの簡単な方法で、報知内容を良好に報知できる。
【００９５】
例えば、以下のような構成などとしてもよい。すなわち、例えば上述したような画像出力制御装置などにおいて、利用者による入力操作を認識する。そして、映像の音声や人の話声あるいは騒音などの音量、周波数、リズムなどの音に関する環境音情報を取得する。この後、入力操作が不適切である場合、その旨を映像の音声や人の話声などと同調しない音の特性の警告音で報知する。ここで、警告音としては、例えば映像の音声などとは異なる周波数の音や、人の話声などが途切れたタイミングで出力される音などが例示できる。一方で、入力操作が適切である場合、その旨を映像の音声や人の話声などと同調する音の特性の操作音で報知する構成などとしてもよい。
【００９６】
このような構成にすれば、画像出力制御装置は、出力時間や経過時間にかかわらず、利用者に認識させる必要性が比較的高い事象である入力操作が不適切である旨を、警告音により容易に認識させることができる。また、利用者に認識させる必要性が比較的低い事象である入力操作が適切である旨を、操作音により聴取空間を壊すことなく認識させることができる。よって、画像出力制御装置に報知内容を良好に報知させることができる。なお、画像出力制御装置を警告音および操作音のうちのいずれか一方のみを出力させる構成とすれば、画像出力制御装置の構成を簡略化できる。
【００９７】
例えば、以下のような構成などとしてもよい。すなわち、着信を振動により伝達する機能であるいわゆるバイブレーション機能を備えた例えば携帯電話において、着信を認識する。そして、例えば利用者が歩くリズムや振動あるいは車両の振動などを認識する。この後、この認識したリズムや振動に同調しない振動数で振動することにより、利用者に着信を報知する構成などとしてもよい。このような構成にすれば、携帯電話は、経過時間に伴い適宜変化する利用者が歩く際の振動や車両の振動などに同調しない振動数で振動できる。このため、携帯電話は、経過時間にかかわらず、利用者に認識させる必要性が比較的高い事象である着信を容易に認識させることができる。したがって、携帯電話に着信を良好に報知させることができる。
【００９８】
その他、本発明の報知制御装置を、各種情報を報知させる報知状況を制御するあらゆる構成に適用してもよい。
【００９９】
上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、取扱が容易で、利用の拡大が容易に図れる。
【０１００】
その他、本発明の実施の際の具体的な構造および手順は、本発明の目的を達成できる範囲で他の構造などに適宜変更できる。
【０１０１】
［実施形態の作用効果］
上述したように、上記実施の形態では、カーオーディオ１００は、処理部３６０の報知信号取得手段３６２にて、音声出力制御手段３６１から例えば第１の操作信号Ｓu1に基づいた処理の実施状況に関する否定報知信号または肯定報知信号を取得する。そして、処理部３６０の再生状況認識手段３６３は、音声出力制御手段３６１から再生時間情報を適宜取得して、報知信号取得手段３６２が否定報知信号または肯定報知信号を取得したときの楽曲の再生時間を認識する。この後、楽音再生制御手段３６６は、音声出力制御手段３６１における処理の実施状況の内容を、入力操作を認識した時点での楽曲のコードに同調しない警告音またはコードに同調する操作音により報知する。
【０１０２】
このため、カーオーディオ１００は、音声出力制御手段３６１における処理の実施状況の内容を、再生時間に伴い適宜変換する楽曲のコードに同調しない警告音またはコードに同調する操作音により報知できる。したがって、カーオーディオ１００は、楽曲の再生時間にかかわらず、処理の実施状況の内容を警告音または操作音により利用者に認識させることができる。よって、カーオーディオ１００に報知内容を良好に報知させることができる。
【図面の簡単な説明】
【０１０３】
【図１】本発明の一実施の形態に係る音響再生装置の概略構成を示すブロック図である。
【図２】前記一実施の形態におけるグリル部の概略構成を示す模式図である。
【図３】前記一実施の形態における再生用音楽情報におけるデータのテーブル構造を模式的に示す概念図である。
【図４】前記一実施の形態における登録楽音情報におけるデータのテーブル構造を模式的に示す概念図である。
【図５】前記一実施の形態における楽曲の再生時間に対応する操作音および警告音の一例を示すタイミングチャートである。        （ａ）：楽曲の波形        （ｂ）：楽曲のコード        （ｃ）：第１の操作ボタンの操作音        （ｄ）：第２の操作ボタンの操作音        （ｅ）：第３の操作ボタンの操作音        （ｆ）：第４の操作ボタンの操作音        （ｇ）：各操作ボタンの警告音
【図６】前記一実施の形態における楽音情報の生成処理を示すフローチャートである。
【図７】前記一実施の形態における楽音登録処理１を示すフローチャートである。
【図８】前記一実施の形態における楽音登録処理２を示すフローチャートである。
【図９】前記一実施の形態における操作音または警告音の再生処理を示すフローチャートである。
【図１０】本発明の他の実施の形態における楽曲の再生時間に対応する操作音および警告音の一例を示すタイミングチャートである。        （ａ）：楽曲の波形        （ｂ）：楽曲のコード        （ｃ）：第１の操作ボタンの操作音        （ｄ）：第２の操作ボタンの操作音        （ｅ）：第３の操作ボタンの操作音        （ｆ）：第４の操作ボタンの操作音        （ｇ）：各操作ボタンの警告音        （ｈ）：各操作ボタンの操作音        （ｉ）：各操作ボタンの警告音
【図１１】本発明の他の実施の形態における操作音および警告音を奏でる楽器の種類を示す図である。
【符号の説明】
【０１０４】
３１０    報知手段としての楽音出力部
３６１    処理実施手段としての音声出力制御手段
３６２    報知制御装置を構成する報知信号取得手段
３６３    報知制御装置を構成する環境状況認識手段としての再生状況認識手段
３６６    報知制御装置を構成する報知制御手段としての楽音再生制御手段
【図１】
2005250880.tif 000003
【図２】
2005250880.tif 000004
【図３】
2005250880.tif 000005
【図４】
2005250880.tif 000006
【図５】
2005250880.tif 000007
【図６】
2005250880.tif 000008
【図７】
2005250880.tif 000009
【図８】
2005250880.tif 000010
【図９】
2005250880.tif 000011
【図１０】
2005250880.tif 000012
【図１１】
2005250880.tif 000013